(57)【要約】      （修正有）【課題】希少価値の高いもの、あるいはデザインや形状により使用者が気に入ったものなどの特別なピックを展示することができるピック用スタンドを提供する。【解決手段】任意場所に載置する台座１を設ける。台座１の上面に設けられ弦を弾くピックＰの先端部Ｐ１を差込み固定せしめる差込孔を設ける。差込孔にピックＰの板面を正面に向けて固定する。台座１は、少なくとも差込孔に差し込む先端部Ｐ１の長さ以上の高さに形成し、先端部Ｐ１を台座１で保護するように設ける。差込孔に、ピックＰの両側面を挟着するスリット状の長孔部２Ａを設ける。長孔部２Ａの長手両端部に設けられ略Ｖ字状に窄んだ支持部２Ｂを設け、長孔部２Ａに挿入するピックＰの厚さに支持部２Ｂが対応するように設ける。【選択図】図２
0003122474.tif 000002
【実用新案登録請求の範囲】
【請求項１】
弦楽器用のピックを立設支持するピック用スタンドであって、任意場所に載置する台座と、該台座の上面に設けられピックの弦を弾く先端部を差込み固定せしめる差込孔とからなり、ピックの板面を正面に向けて固定することを特徴とするピック用スタンド。
【請求項２】
前記台座は、少なくとも前記差込孔に差し込む先端部の長さ以上の高さを有し、該先端部を台座で保護するように設けられた請求項１記載のピック用スタンド。
【請求項３】
前記差込孔は、ピックの両側面を挟着するスリット状の長孔部と、該長孔部の長手両端部に設けられ略Ｖ字状に窄んだ支持部とからなり、長孔部に挿入するピックの厚さに支持部が対応するように設けられた請求項１又は２記載のピック用スタンド。
【請求項４】
前記台座は略截頭円錐形状を成す中空の基台の上端に平板状の天板が設けられ、該天板を貫通するように前記差込孔を設けた請求項１乃至３いずれか記載のピック用スタンド。
【考案の詳細な説明】
【技術分野】
【０００１】
本考案は、主にギター等に使用されるピックを装飾用として展示するのに好適なピック用スタンドに関するものである。
【背景技術】
【０００２】
従来、ギターに使用するピックは、その形状が小さいことから、ギターヘッドのナット付近やマイクスタンドなど、僅かな隙間や演奏中に取りやすい位置などに装着しておくことが一般的である。このピックには、販売メーカーや発売時期などによって希少価値の高いもの、あるいはデザインや形状により使用者が気に入ったものなど、特別なピックとなるものがある。このような特別なピックを、他の一般的なピックと同じように扱うことは好ましくなく、特別なピックを展示して常に観賞できるようにするものが望まれていた。
【０００３】
一方、楽器自体を展示するものとして、特許文献１に記載されたスタンドが提案されている。このスタンドは、重荷トランペットなどの管楽器をディスプレイするように工夫されたものである。
【０００４】
また、小さな物品をディスプレイするものとして、たとえば特許文献２に記載されたホルダーが提案されている。このホルダーは、ＣＤ（コンパクトディスク）などの音楽媒体を任意の角度で支持することで、表紙を観賞できるようにしたものである。
【特許文献１】実公平１-３８５３３号公報
【特許文献２】登録実用新案第３００８８０１号公報
【考案の開示】
【考案が解決しようとする課題】
【０００５】
特許文献１や特許文献２に記載されたスタンドやホルダーは、それぞれ楽器や音楽媒体など、目的の物品を展示するように構成されている。ところが、ギター等で用いられるピックは、形状が小さく且つ薄いものであることから、これまでピックを専用に展示するものは提案されていなかった。
【０００６】
そこで本考案は、上述の課題を解消すべく案出されたもので、希少価値の高いもの、あるいはデザインや形状により使用者が気に入ったものなどの特別なピックを展示することができるピック用スタンドの提供を目的とするものである。
【課題を解決するための手段】
【０００７】
本考案の第１の手段は、弦楽器用のピックＰを立設支持するピック用スタンドであって、任意場所に載置する台座１と、該台座１の上面に設けられ弦を弾くピックＰの先端部Ｐ１を差込み固定せしめる差込孔２とからなり、ピックＰの板面を正面に向けて固定することにある。
【０００８】
第２の手段の台座１は、少なくとも前記差込孔２に差し込む先端部Ｐ１の長さ以上の高さを有し、該先端部Ｐ１を台座１で保護するように設けられている。
【０００９】
第３の手段の差込孔２は、ピックＰの両側面を挟着するスリット状の長孔部２Ａと、該長孔部２Ａの長手両端部に設けられ略Ｖ字状に窄んだ支持部２Ｂとからなり、長孔部２Ａに挿入するピックＰの厚さに支持部２Ｂが対応するように設けられている。
【００１０】
第４の手段において、前記台座１は略截頭円錐形状を成す中空の基台１Ａの上端に平板状の天板１Ｂが設けられ、該天板１Ｂを貫通するように前記差込孔２を設けたことを課題解消のための手段とする。
【考案の効果】
【００１１】
本考案の請求項１により、台座１の上面に設けられ弦を弾くピックＰの先端部Ｐ１を差込み固定せしめる差込孔２とで、ピックＰの板面を正面に向けて固定することにより、希少価値の高いもの、あるいはデザインや形状により使用者が気に入ったものなどの特別なピックを展示することが可能になる。
【００１２】
請求項２によると、台座１の高さを、少なくとも前記差込孔２に差し込む先端部Ｐ１の長さ以上の高さに設定し、ピックＰの弦を弾く先端部Ｐ１を台座１で保護するように設けているので、展示中でもピックＰの大事な先端部Ｐ１部分を保護することができ、展示だけでなく、実用的な効果も奏する。
【００１３】
請求項３では、差込孔２を、ピックＰの両側面を挟着するスリット状の長孔部２Ａと、該長孔部２Ａの長手両端部に設けられ略Ｖ字状に窄んだ支持部２Ｂとで形成し、長孔部２Ａに挿入するピックＰの厚さに支持部２Ｂが対応するように設けているので、ピックＰの厚さが異なっても、この支持部２Ｂが常に安定した状態で各ピックＰを保持するものとなる。
【００１４】
請求項４によると、前記台座１は略截頭円錐形状を成す中空の基台１Ａの上端に平板状の天板１Ｂが設けられ、該天板１Ｂを貫通するように前記差込孔２を設けたことで、安定感のある台座によって、ピックＰを効果的に展示することができる。
【００１５】
このように本考案によると、希少価値の高いもの、あるいはデザインや形状により使用者が気に入ったものなどの特別なピックを展示することができるなどといった有益な種々の効果を奏するものである。
【考案を実施するための最良の形態】
【００１６】
本考案の最良の形態は、任意場所に載置する台座１を設ける。該台座１の上面に設けられ弦を弾くピックＰの先端部Ｐ１を差込み固定せしめる差込孔２を設ける。該差込孔２にピックＰの板面を正面に向けて固定する。台座１は、少なくとも前記差込孔２に差し込む先端部Ｐ１の長さ以上の高さに形成し、該先端部Ｐ１を台座１で保護するように設ける。差込孔２に、ピックＰの両側面を挟着するスリット状の長孔部２Ａを設ける。該長孔部２Ａの長手両端部に設けられ略Ｖ字状に窄んだ支持部２Ｂを設け、長孔部２Ａに挿入するピックＰの厚さに支持部２Ｂが対応するように設けることで、当初の目的を達成するものである。
【実施例】
【００１７】
本考案スタンドは、特にギター等の弦楽器用のピックＰを立設支持するものである。本考案スタンドの構成は、台座１と差込孔２とからなる。
【００１８】
台座１は、任意場所に載置する部材であり、図示例では、前記台座１は略截頭円錐形状を成す中空の基台１Ａの上端に平板状の天板１Ｂが設けられている。更に、この台座１は、少なくとも前記差込孔２に差し込むピックＰ先端部Ｐ１の長さ以上の高さを有するもので、該先端部Ｐ１を台座１で保護するように設けられている。
【００１９】
台座１の材質は、合成樹脂材、金属材、木材等各種の材質を任意に使用することができる。また、この台座１の形状は任意に変更できるもので、図示例に限定されるものではない。更に、この台座１に加えられる付加的構成、たとえば台座１から支持するピックＰ全体を包み込む透明なドーム状のカバーや電光飾など、装飾用に用いられる従来周知の構成を任意に組み合わせることも可能である。
【００２０】
差込孔２は、該台座１の上面に設けられ弦を弾くピックＰの先端部Ｐ１を差込み固定せしめる孔で、この差込孔２にピックＰの先端部Ｐ１を差し込み、ピックＰの板面を正面に向けて固定する。図示の差込孔２は、ピックＰの両側面を挟着するスリット状の長孔部２Ａと、該長孔部２Ａの長手両端部に設けられ略Ｖ字状に窄んだ支持部２Ｂとから成る。そして、長孔部２ＡにピックＰを挿入すると、このピックＰの厚さに対応して支持部２Ｂが支持するように設けられている。
【００２１】
図示例では、前記台座１を略截頭円錐形状の中空の基台１Ａを設け、この基台１Ａの上端に、平板状の天板１Ｂを設けている。そして、この天板１Ｂを貫通するように差込孔２を設けたものである。尤も、図示例の各構成は、本考案の一実施例に過ぎず、台座１の形状や差込孔２の数及び設ける位置など、本考案の要旨を変更しない範囲において自由に変更することができるものである。
【図面の簡単な説明】
【００２２】
【図１】本考案の一実施例を示す斜視図である。
【図２】本考案の一実施例を示す側断面図である。
【図３】本考案の差込孔の一実施例を示す平面図である。
【符号の説明】
【００２３】
１  台座
１Ａ 基台
１Ｂ 天板
２  差込孔
２Ａ 長孔部  
２Ｂ 支持部
Ｐ  ピック
Ｐ１ 先端部
【図１】
0003122474.tif 000003
【図２】
0003122474.tif 000004
【図３】
0003122474.tif 000005